(57)【特許請求の範囲】
【請求項１】
軸方向に固定された固定プーリ片と、軸方向に移動可能とされた可動プーリ片とからなり、これらの固定プーリ片と可動プーリ片で形成されるＶ字状のプーリ溝の幅を連続的に変更可能としたプーリであって、無端状のセンターベルトの長手方向に樹脂材料で形成された複数のブロックを所定ピッチで配列固定した伝動用ベルトを前記プーリ溝に巻き掛け、この伝動用ベルトのブロックと前記プーリ溝との摺接部に潤滑油を用いない乾式タイプのベルト式無段変速機に用いられる無段変速機用プーリにおいて、前記プーリ溝の表面粗さ性状を、スキューネスＲｓｋ−０．６以下、突出山部高さＲｐｋ０．１〜０．６μｍ、突出谷部深さＲｖｋ０．６〜１．５μｍの各範囲に規定したことを特徴とする無段変速機用プーリ。
【請求項２】
前記プーリ溝の表面粗さ性状が、前記プーリ溝の表面にショットブラストで凹凸を形成してめっき処理を施し、この表面に形成された凹凸の凸部を研磨することにより形成されたものである請求項１に記載の無段変速機用プーリ。
【請求項３】
前記プーリ溝の表面粗さ性状が、前記プーリ溝の表面に溶射処理を施して凹凸を形成し、この表面に形成された凹凸の凸部を研磨することにより形成されたものである請求項１に記載の無段変速機用プーリ。
【請求項４】
前記プーリ溝の表面硬さを、ビッカース硬さＨｖ６００以上とした請求項１乃至３のいずれかに記載の無段変速機用プーリ。
【請求項５】
軸方向に固定された固定プーリ片と、軸方向に移動可能とされた可動プーリ片とで形成された無段変速機用プーリのＶ字状のプーリ溝に、無端状のセンターベルトの長手方向に、樹脂材料で形成された複数のブロックを所定ピッチで配列固定した伝動用ベルトを巻き掛け、このプーリ溝に巻き掛けられる前記伝動用ベルトのブロックの摺接部に潤滑油を用いない乾式タイプのベルト式無段変速機において、前記無段変速機用プーリに請求項１乃至４のいずれかに記載の無段変速機用プーリを用いたことを特徴とするベルト式無段変速機。
【請求項６】
前記ブロックを形成する樹脂材料をポリアミド系のものとし、炭素繊維を配合した請求項５に記載のベルト式無段変速機。
【発明の詳細な説明】
【技術分野】
【０００１】
本発明は、無段変速機用プーリとそれを用いたベルト式無段変速機に関する。
【背景技術】
【０００２】
ベルト式無段変速機に用いられる無段変速機用プーリは、軸方向に固定された固定プーリ片と、軸方向に移動可能とされた可動プーリ片とからなり、これらの固定プーリ片と可動プーリ片で形成されるＶ字状のプーリ溝の幅を連続的に変更可能としたものである。ベルト式無段変速機は、プーリ溝の幅に応じて巻き掛けられるＶ字状の伝動用ベルトの巻き掛け半径を変化させ、変速比を無段階で変える（例えば、特許文献１参照）。
【０００３】
このベルト式無段変速機に用いられる伝動用ベルトは、無端状のセンターベルトの長手方向に沿って複数の板状のブロックを所定ピッチで配列し、これらの板状の各ブロックをベルト長手方向と直角なベルト幅方向に拡がるように固定し、各ブロックの幅方向両端面をプーリ溝に接触させるようにしたものが多い。各ブロックは、強度を確保するために比較的硬質な樹脂材料で形成されることが多く、ファイバやウィスカ等の補強材が配合されることもある。
【０００４】
このようにブロックを樹脂材料で形成した伝動用ベルトを用いたベルト式無段変速機では、互いに摺接するプーリ溝とブロック間の摩擦係数が大き過ぎると、樹脂材料で形成したブロックが早期に摩耗し、伝動用ベルトの寿命が短くなる。また、プーリ溝とブロック間の摩擦係数が小さ過ぎるとスリップが発生し、動力の伝達に支障を来たす。
【０００５】
特許文献１に記載されたものでは、プーリ溝の平均表面粗さをＲａ０．５〜３．０μｍとし、プーリ溝とブロック間の摩擦係数を、過大とならず、かつ、ブロックの摩耗も急激に増大しない範囲に設定している。
【０００６】
また、伝動用ベルトのブロックを形成する樹脂材料に、炭酸カルシウム、リン酸カルシウム、超高分子量ポリエチレン、グラファイト等の摩擦低減材を１〜５０質量％の割合で配合して、プーリ溝とブロック間の摩擦係数を、スリップが発生しない範囲で、ブロックの摩耗を抑制できるように低減したものもある（例えば、特許文献２参照）。
【先行技術文献】
【特許文献】
【０００７】
【特許文献１】特開２００２−７０９９２号公報
【特許文献２】特開２００８−１８０３４４号公報
【発明の概要】
【発明が解決しようとする課題】
【０００８】
上述したベルト式無段変速機には、プーリ溝と伝動用ベルトとの摺接部に潤滑油を用いる湿式タイプと、潤滑油を用いない乾式タイプとがある。乾式タイプは湿式タイプに較べて、プーリ溝とブロック間の摩擦係数が大きくなり、プーリ溝と伝動用ベルト間のスリップは発生しにくいが、ブロックの摩耗が著しく増大する傾向がある。このため、特許文献１に記載されたもののように、プーリ溝の平均表面粗さをＲａ０．５〜３．０μｍに規定するのみでは、ブロックの摩耗を十分に抑制できない問題がある。
【０００９】
なお、特許文献２に記載されたもののように、ブロックを形成する樹脂材料に摩擦低減材を配合すれば、摩擦係数を低減してブロックの摩耗をある程度抑制することができるが、樹脂材料に摩擦低減材を配合すると、ブロックの強度が低下する問題がある。
【００１０】
そこで、本発明の課題は、乾式タイプのベルト式無段変速機での伝動用ベルトのブロックの摩耗を好適に抑制できるようにすることである。
【課題を解決するための手段】
【００１１】
上記の課題を解決するために、本発明は、軸方向に固定された固定プーリ片と、軸方向に移動可能とされた可動プーリ片とからなり、これらの固定プーリ片と可動プーリ片で形成されるＶ字状のプーリ溝の幅を連続的に変更可能としたプーリであって、無端状のセンターベルトの長手方向に樹脂材料で形成された複数のブロックを所定ピッチで配列固定した伝動用ベルトを前記プーリ溝に巻き掛け、この伝動用ベルトのブロックと前記プーリ溝との摺接部に潤滑油を用いない乾式タイプのベルト式無段変速機に用いられる無段変速機用プーリにおいて、前記プーリ溝の表面粗さ性状を、スキューネスＲｓｋ−０．６以下、突出山部高さＲｐｋ０．１〜０．６μｍ、突出谷部深さＲｖｋ０．６〜１．５μｍの各範囲に規定した構成を採用した。
【００１２】
本発明者らは、無段変速機用プーリに擬したディスクプレートのディスク面の表面粗さ性状を種々に変化させて、潤滑油を用いずに、伝動用ベルトのブロックに擬した樹脂製試験片をディスク面に摺接させる試験を行い、試験片の摩耗状況を調査した。この結果、ディスク面の表面粗さ性状を、スキューネスＲｓｋ−０．６以下、突出山部高さＲｐｋ０．１〜０．６μｍ、好ましくはＲｐｋ０．１〜０．３μｍ、突出谷部深さＲｖｋ０．６〜１．５μｍの各範囲に入れると、後の表１に例を示すように、樹脂製試験片の摩耗量が著しく低減されることを見出した。このような試験結果に基づいて、プーリ溝の表面粗さ性状を表す各パラメータの値を上記の範囲に規定し、乾式タイプのベルト式無段変速機での伝動用ベルトのブロックの摩耗を好適に抑制できるようにした。
【００１３】
なお、前記スキューネスＲｓｋは、凹凸高さのある面の平均面を中心とした高さ分布の対称性を表すパラメータであり、図７に示すように、Ｒｓｋ＝０のときは凹凸の高さ分布が平均面に対して対称であることを意味し、Ｒｓｋ＜０のときは高さ分布が平均面に対して上側に、Ｒｓｋ＞０のときは高さ分布が平均面に対して下側に偏っていることを意味する。すなわち、Ｒｓｋ＜０のときは、平均面に対して凸部の領域が広く、凹部の領域が狭くなり、狭い領域の凹部の深さ、つまり突出谷部深さＲｖｋが、広い領域の凸部の高さ、つまり突出山部高さＲｐｋよりも深くなる。
【００１４】
前記ブロックに擬した試験片の摩耗が抑制された理由は、以下のように考えられる。プーリ溝と摺接するブロックの摩耗は、アブレッシブ摩耗と凝着摩耗とからなるが、プーリ溝の表面粗さ性状を、スキューネスをＲｓｋ−０．６以下として、突出山部高さをＲｐｋ０．１〜０．６μｍ、好ましくはＲｐｋ０．１〜０．３μｍと低くすることにより、アブレッシブ摩耗と凝着摩耗がバランスよく抑制されるとともに、突出谷部深さをＲｖｋ０．６〜１．５μｍと深くすることにより、摩耗したブロックの樹脂が深い谷部に溜まり、その固体潤滑作用により、ブロックの摩耗が更に抑制されたものと思われる。
【００１５】
前記突出山部高さをＲｐｋ０．１〜０．６μｍとしたのは、Ｒｐｋ０．１μｍ未満では凝着摩耗が大きくなり、０．６μｍを超えるとアブレッシブ摩耗が大きくなるからである。また、突出谷部深さをＲｖｋ０．６〜１．５μｍとしたのは、Ｒｖｋ０．６μｍ未満では摩耗した樹脂を溜める深さとして不充分で、１．５μｍを超えると加工が困難になるからである。
【００１６】
前記プーリ溝の表面粗さ性状は、前記プーリ溝の表面にショットブラストで凹凸を形成してめっき処理を施し、この表面に形成された凹凸の凸部を研磨することにより形成されたものとすることができる。めっき処理は、プーリ溝側の耐摩耗性を向上させる効果と、潤滑油がない状態での防錆効果とを有し、硬質クロムめっき、無電解ニッケルめっき等を採用することができる。
【００１７】
前記プーリ溝の表面粗さ性状は、前記プーリ溝の表面に溶射処理を施して凹凸を形成し、この表面に形成された凹凸の凸部を研磨することにより形成されたものとすることもできる。溶射処理で形成される溶射皮膜も、プーリ溝側の耐摩耗性を向上させる効果と、潤滑油がない状態での防錆効果とを有し、溶射材料としては、セラミック、タングステン等を用いることができる。
【００１８】
前記プーリ溝の表面硬さを、ビッカース硬さＨｖ６００以上とすることにより、プーリ溝側の摩耗を防止して、その表面粗さ性状を維持することができる。
【００１９】
また、本発明は、軸方向に固定された固定プーリ片と、軸方向に移動可能とされた可動プーリ片とで形成された無段変速機用プーリのＶ字状のプーリ溝に、無端状のセンターベルトの長手方向に、樹脂材料で形成された複数のブロックを所定ピッチで配列固定した伝動用ベルトを巻き掛け、このプーリ溝に巻き掛けられる前記伝動用ベルトのブロックの摺接部に潤滑油を用いない乾式タイプのベルト式無段変速機において、前記無段変速機用プーリに上述したいずれかの無段変速機用プーリを用いた構成を採用した。
【００２０】
すなわち、無段変速機用プーリに上述したいずれかの無段変速機用プーリを用いることにより、乾式タイプのベルト式無段変速機での伝動用ベルトのブロックの摩耗を好適に抑制できるようにした。
【００２１】
前記ブロックを形成する樹脂材料をポリアミド系のものとし、炭素繊維を配合することにより、ブロックを強度の高い耐久性の優れたものとすることができる。ブロックを形成するポリアミド系の樹脂材料としては、ポリアミド４６、ポリアミド６Ｔ、ポリアミド９Ｔ等を挙げることができる。
【発明の効果】
【００２２】
本発明に係る無段変速機用プーリは、プーリ溝の表面粗さ性状を、スキューネスＲｓｋ−０．６以下、突出山部高さＲｐｋ０．１〜０．６μｍ、突出谷部深さＲｖｋ０．６〜１．５μｍの各範囲に規定したので、乾式タイプのベルト式無段変速機での伝動用ベルトのブロックの摩耗を好適に抑制することができる。
【図面の簡単な説明】
【００２３】
【図１】（ａ）は本発明に係るベルト式無段変速機を示す一部省略側面図、（ｂ）は（ａ）のIb−Ib線に沿った断面図
【図２】（ａ）は図１の伝動用ベルトのプーリへの巻き掛け半径を変化させた状態を示す一部省略側面図、（ｂ）は（ａ）のIIb−IIb線に沿った断面図
【図３】図１の伝動用ベルトを示す一部切欠き斜視図
【図４】図１のプーリに巻き掛けられた図３の伝動用ベルトの横断面図
【図５】図３の伝動用ベルトの一部省略縦断面図
【図６】実施例と比較例のプーリ溝の表面粗さ性状の測定例を示すグラフ
【図７】スキューネスＲｓｋの定義を説明する概念図
【発明を実施するための形態】
【００２４】
以下、図面に基づき、本発明の実施形態を説明する。図１（ａ）、（ｂ）は、本発明に係るベルト式無段変速機１を示す。このベルト式無段変速機１は、入力軸２ａに取り付けられた駆動側プーリ３ａと、出力軸２ｂに取り付けられた駆動側プーリ３ｂと、これらのプーリ３ａ、３ｂに巻き掛けられた伝動用ベルト１０とからなり、入力軸２ａの回転を無段階で変速して出力軸２ｂに伝達するものである。
【００２５】
前記各プーリ３ａ、３ｂは、それぞれ入力軸２ａと出力軸２ｂに軸方向を固定された固定プーリ片４ａ、４ｂと、軸方向に移動可能とされた可動プーリ片５ａ、５ｂとからなり、これらの固定プーリ片４ａ、４ｂと可動プーリ片５ａ、５ｂの対向する傾斜溝面６ａ、６ｂで形成されるＶ字状のプーリ溝７ａ、７ｂの幅を連続的に変更できるようになっている。
【００２６】
前記伝動用ベルト１０は、幅方向両端面が各プーリ３ａ、３ｂのプーリ溝７ａ、７ｂの対向する傾斜溝面６ａ、６ｂと傾斜が合致するテーパ面で形成され、変更されたプーリ溝７ａ、７ｂの幅に応じて、プーリ溝７ａ、７ｂの任意の上下方向位置（プーリ３ａ、３ｂの半径方向位置）に嵌まり込む。例えば、図１（ａ）、（ｂ）に示す状態から、図２（ａ）、（ｂ）に示すように、駆動側プーリ３ａのプーリ溝７ａの幅を広く、従動側プーリ３ｂのプーリ溝７ｂの幅を狭くした状態に変更すると、伝動用ベルト１０は、駆動側プーリ３ａではプーリ溝７ａの下方へ、従動側プーリ３ｂ側ではプーリ溝７ｂの上方へ移動し、各プーリ３ａ、３ｂへの巻き掛け半径が連続的に変化して、変速比が無段階で変えられる。
【００２７】
前記各固定プーリ片４ａ、４ｂと可動プーリ片５ａ、５ｂは、機械構造用合金鋼ＳＣＭ４３５Ｈで形成されており、Ｖ字状の各プーリ溝７ａ、７ｂを形成するように対向する傾斜溝面６ａ、６ｂの表面粗さ性状は、スキューネスＲｓｋ−０．６以下、突出山部高さＲｐｋ０．１〜０．６μｍ、突出谷部深さＲｖｋ０．６〜１．５μｍとされ、表面硬さがビッカース硬さＨｖ６００以上とされている。なお、固定プーリ片４ａ、４ｂと可動プーリ片５ａ、５ｂは、他の機械構造用合金鋼や他の合金鋼等で形成することもできる。
【００２８】
前記表面粗さ性状は、傾斜溝面６ａ、６ｂに溶射、ショットブラスト、酸やアルカリによる化学処理等によって細かい凹凸を形成し、凹凸の山部を研磨によって平滑化することにより形成することができる。また、表面硬さは、セラミックやタングステン等の溶射材料で硬質の溶射皮膜を形成したり、硬質クロムめっきや無電解ニッケルめっき等によって硬質のめっき皮膜を形成することにより確保することができる。
【００２９】
図３に示すように、前記伝動用ベルト１０は、平行な２本の無端状のセンターベルト１１の長手方向に沿って所定ピッチで配列した複数の板状のブロック１２を、ベルト長手方向と直角なベルト幅方向に拡がるように固定したものである。板状の各ブロック１２は、上ビーム部１３と下ビーム部１４をピラー部１５によって上下に連結し、その幅方向の両側面に、上下のビーム部１３，１４とピラー部１５によって囲まれた嵌合溝１６を設けたものであり、互いに同一の形状とされている。各センターベルト１１は、各ブロック１２の両側面の嵌合溝１６に幅方向両側から嵌合され、各ブロック１２が２本のセンターベルト１１と一体化されている。伝動用ベルト１０が各プーリ３ａ、３ｂに巻き掛けられたときに、各ブロック１２の上ビーム部１３はセンターベルト１１よりもプーリ外径側に位置し、下ビーム部１４はセンターベルト１１よりもプーリ内径側に位置する。
【００３０】
また、前記各センターベルト１１の上下面には、それぞれ幅方向に延びる凹溝１７ａ、１７ｂが長手方向に所定のピッチで設けられ、各ブロック１２の嵌合溝１６の上下を向く側面には、それぞれ幅方向に延びる凸条１８ａ、１８ｂが所定のピッチで設けられている。これらの凹溝１７ａ、１７ｂに各凸条１８ａ、１８ｂを係合させることにより、各ブロック１２がベルト長手方向に沿って所定ピッチで固定される。
【００３１】
前記センターベルト１１は、心線１１ａがスパイラル状に埋設されたゴム層１１ｂと、ゴム層１１ｂの上下両面を被覆するカバー帆布１１ｃとからなる。心線１１ａとしては、ポリエステル繊維、ポリアミド繊維、アラミド繊維、ガラス繊維等からなるロープや、スチールワイヤ等が用いられる。心線１１ａの替わりに、上記の繊維からなる織布や編布、または金属薄板等を埋設してもよい。ゴム層１１ｂは、クロロプレンゴム、天然ゴム、ニトリルゴム、スチレン−ブタジエンゴム、水素化ニトリルゴム等の単一材もしくはこれらを適宜ブレンドしたゴム、またはポリウレタンゴムで形成される。また、カバー帆布１１ｃは、ベルト走行時にゴム層１１ｂがブロック１２との摩擦により摩耗するのを防止するためのものであり、平織り、綾織り又は朱子織り等の織布で形成される。その繊維材料としては、アラミド繊維、ポリアミド繊維、ポリエステル繊維等が用いられる。
【００３２】
図４に示すように、前記ブロック１２の上ビーム部１３と下ビーム部１４の幅方向両端面は、それぞれプーリ３ａ、３ｂのプーリ溝７ａ、７ｂの対向する各傾斜溝面６ａ、６ｂと傾斜が合致するテーパ面１３ａ、１４ａで形成されている。なお、各センターベルト１１の外側を向く側端面は、各傾斜溝面６ａ、６ｂと接触しないように、上ビーム部１３と下ビーム部１４のテーパ面１３ａ、１４ａよりも内側へ後退したテーパ面１１ｄで形成されている。
【００３３】
図５に示すように、前記センターベルト１１の長手方向に所定ピッチで固定された各ブロック１２間には隙間が開けられ、センターベルト１１よりもプーリ内径側に位置する下ビーム部１４は、センターベルト１１がプーリ側へ湾曲したときに互いに干渉しないように、プーリ内径側となる下側に行くほど肉厚が漸減するように形成されている。一方、センターベルト１１よりもプーリ外径側に位置する上ビーム部１３は、上下方向に等しい肉厚で形成されている。
【００３４】
前記ブロック１２は、センターベルト１１よりも硬質のポリアミド系樹脂で形成され、補強材として炭素繊維（図示省略）が配合されている。ポリアミド系樹脂としては、ポリアミド４６、ポリアミド６Ｔ、ポリアミド９Ｔ等が挙げられる。
【実施例】
【００３５】
実施例として、前記固定プーリ片と可動プーリ片を機械構造用合金鋼ＳＣＭ４３５Ｈで形成し、これらのプーリ溝を形成する傾斜溝面を切削加工して、セラミック溶射Ｒ−Ｃの表面処理を施したのち、凹凸の山部を砥石研磨したプーリ（実施例１）、同じく各プーリ片をＳＣＭ４３５Ｈで形成し、プーリ溝の傾斜溝面を切削加工して、ショットブラストで凹凸を形成し、さらに硬質クロムめっきの表面処理を施したのち、凹凸の山部を砥石研磨したプーリ（実施例２）、および、実施例２のものと同様の表面処理で、最後の凹凸の山部をショット研磨したプーリ（実施例３）を用意した。比較例として、各プーリ片をステンレス鋼ＳＵＳ３０４で形成し、プーリ溝の傾斜溝面を切削加工のままとしたプーリ（比較例１）と、各プーリ片をＳＣＭ４３５Ｈで形成し、プーリ溝の傾斜溝面を切削加工したのち、硬質クロムめっき（比較例２）、無電解ニッケルめっき（比較例３）、およびテフロンクロムコート（比較例４）の各表面処理を施したプーリを用意した。また、これらの実施例１〜３と比較例１〜４のプーリに対応させて、各プーリとそれぞれ同じ素材で形成し、ディスク面にそれぞれ傾斜溝面と同じ処理を施した実施例１〜３および比較例１〜４のディスクプレートも用意した。
【００３６】
これらの各実施例１〜３と比較例１〜４のプーリについて、プーリ溝の傾斜溝面の表面粗さ性状と表面硬さを測定した。表面粗さ性状の測定には、フォームトレーサＣＳ−３１００（商品名：株式会社ミツトヨ製）を用い、ＪＩＳＢ０６０１−２００１に準拠した平均表面粗さＲａおよびスキューネスＲｓｋと、ＪＩＳＢ０６７１−２００２に準拠した突出山部高さＲｐｋおよび突出谷部深さＲｖｋを測定した。表面硬さの測定にはビッカース硬度計を用いた。表１にこれらの測定結果を示す。
【００３７】
【表１】
0005593210.tif 000002
【００３８】
これらの測定結果より、各実施例１〜３のものは、傾斜溝面の表面粗さ性状が、いずれもスキューネスＲｓｋ−０．６以下、突出山部高さＲｐｋ０．１〜０．３μｍ、突出谷部深さＲｖｋ０．６〜１．５μｍの各範囲に入り、表面硬さもＨｖ６００以上となっていることが分かる。これに対して、比較例１〜３のものは、表面粗さ性状のすべての項目が上記範囲を外れ、比較例１のものは表面硬さＨｖも上記範囲を外れている。また、比較例４のものは、突出山部高さＲｐｋが上記範囲を外れている。
【００３９】
図６は、実施例２と比較例２の表面粗さ性状を比較して示す。スキューネスＲｓｋが零に近い比較例２の表面粗さ性状は、平均面（高さ＝０）に対して山部の高さと谷部の深さがほぼ同じで、山部と谷部の領域もほぼ等しい。これに対して、スキューネスＲｓｋを大きな負の値とした実施例２の表面粗さ性状は、山部の領域が谷部の領域よりも広くなり、平均面に対して山部が低く、谷部が著しく深くなっている。
【００４０】
つぎに、上述した実施例１〜３と比較例１〜４の各ディスクプレートのディスク面に、前記実施形態の伝動ベルトのブロックと同じポリアミド系樹脂で形成し、補強材として炭素繊維を配合した試験片を押し付けて摺接させるスラスト摩擦摩耗試験を行った。スラスト摩擦摩耗試験はＪＩＳＫ７２１８−１９８６に準拠して行い、ディスク面と試験片との摩擦係数と試験片の摩耗量を測定した。試験条件は以下の通りである。
・試験機：スラスト摩擦摩耗試験機（リングオンディスク）
・押し付け面圧：２．９ＭＰａ
・摺接速度：０．４ｍ／ｓ
・雰囲気温度：６０℃
・試験時間：１４ｈｒ
【００４１】
表１に、上記スラスト摩擦摩耗試験の結果を併せて示す。この試験結果より、比較例１のものを除いて、実施例１〜３と比較例２〜４のディスク面と試験片との摩擦係数はあまり変わらないが、各実施例の試験片の摩耗量は、例えば比較例２のものの１／４〜１／３と、著しく低減されている。この理由は、図６に示したように、例えば比較例２の表面粗さ性状に比べて、実施例の表面粗さ性状が、平均面に対して山部が低く、谷部が著しく深くなっていることに起因するものと考えられる。すなわち、突出山部高さをＲｐｋ０．１〜０．３μｍと低くすることにより、試験片のアブレッシブ摩耗と凝着摩耗がバランスよく抑制されるとともに、突出谷部深さをＲｖｋ０．６〜１．５μｍと深くすることにより、摩耗した試験片の樹脂が深い谷部に溜まり、その固体潤滑作用により、試験片の摩耗が更に抑制されたものと思われる。
【００４２】
上述した実施形態では、ブロックの幅方向の左右両側に、センターベルトを嵌合する嵌合溝を設け、各ブロックを２本のセンターベルトと一体化したものとしたが、本発明に係るベルト式無段変速機の伝動用ベルトは、ブロックの幅方向の片側のみに嵌合溝を設け、各ブロックを１本のセンターベルトと一体化したものとすることもできる。
【符号の説明】
【００４３】
１  ベルト式無段変速機
２ａ  入力軸
２ｂ  出力軸
３ａ、３ｂ  プーリ
４ａ、４ｂ  固定プーリ片
５ａ、５ｂ  可動プーリ片
６ａ、６ｂ  傾斜溝面
７ａ、７ｂ  プーリ溝
１０  伝動用ベルト
１１  センターベルト
１１ａ  心線
１１ｂ  ゴム層
１１ｃ  カバー帆布
１１ｄ  テーパ面
１２  ブロック
１３  上ビーム部
１３ａ  テーパ面
１４  下ビーム部
１４ａ  テーパ面
１５  ピラー部
１６  嵌合溝
１７ａ、１７ｂ  凹溝
１８ａ、１８ｂ  凸条
【図１】
0005593210.tif 000003
【図２】
0005593210.tif 000004
【図３】
0005593210.tif 000005
【図４】
0005593210.tif 000006
【図５】
0005593210.tif 000007
【図６】
0005593210.tif 000008
【図７】
0005593210.tif 000009